(57)【要約】【課題】都市部等の狭小敷地であっても、母屋と離れのような独立性の高い居住部を形成することができ、快適な居住環境を形成することが可能な建物を提供することを目的とする。【解決手段】建物本体２内に、この建物本体２の水平方向に沿って延在し、かつ延在方向端部が屋外側に開口する路地部３が形成されており、前記建物本体２は、前記路地部３を介して隣り合うように配置された第１居住部４および第２居住部５を備えており、これら第１居住部４および第２居住部５は、前記路地部３に面する出入口４ａ，５ａをそれぞれ備えるとともに、互いに独立して形成されていることを特徴とする建物１。これにより、第１居住部および第２居住部を、路地部によって隔てられた状態で同じ敷地内に形成することができる。【選択図】図３
2008169660.tif 000002
【特許請求の範囲】
【請求項１】
建物本体内に、この建物本体の水平方向に沿って延在し、かつ延在方向端部が屋外側に開口する路地部が形成されており、
前記建物本体は、前記路地部を介して隣り合うように配置された第１居住部および第２居住部を備えており、これら第１居住部および第２居住部は、前記路地部に面する出入口をそれぞれ備えるとともに、互いに独立して形成されていることを特徴とする建物。
【請求項２】
請求項１に記載の建物において、
前記路地部には、前記建物本体に設けられ、上下方向に沿って吹き抜ける風洞部が接続され、この風洞部の上端部は屋外に連通しており、
前記建物本体内には、これら路地部および風洞部に沿って複数の部屋が配置されていることを特徴とする建物。
【請求項３】
請求項２に記載の建物において、
前記建物本体は、前記路地部および風洞部に面する収納室と、この収納室から路地部の延在方向に沿って張り出す張出部とを備えており、
前記収納室は、前記建物本体の上階床と、この上階床の一部の上方に設けられたスキップ床との間に配置されるとともに、前記路地部の天井面と同じ高さに位置する天井面を有しており、前記張出部は、前記収納室の床面と略同じ高さの床面を有していることを特徴とする建物。
【請求項４】
請求項３に記載の建物において、
前記張出部の床には、この床を上下方向に貫通する貫通孔が複数形成されていることを特徴とする建物。
【請求項５】
請求項１〜４のいずれか一項に記載の建物において、
前記路地部は、建物が建築される地域の夏季の主風向に対応する方向に開口していることを特徴とする建物。
【発明の詳細な説明】
【技術分野】
【０００１】
本発明は、戸建住宅等の建物に関する。
【背景技術】
【０００２】
戸建住宅等の建物において、仕事や趣味に使用する部屋あるいは来客の宿泊等に使用する部屋としては、家族の生活の場から隔離された部屋を利用することが多い。また、住宅の本棟とは別に離れを設けて、この離れを上記の部屋として利用することもある（例えば、特許文献１参照）。
【０００３】
上記特許文献１に記載のような離れのある住宅によれば、本棟とは別に離れを設けることで、独立性の高い部屋を確保することができ、その離れの部屋を仕事部屋や趣味等に利用することで、家族の生活とは比較的無関係に仕事や趣味に集中することができる。また、本棟内を通ることなく離れ側の部屋に直接出入りできることから、その部屋への来客の機会が多い場合でも、家族のプライバシーを守ることができ、来客も気兼ねなく訪れることができるようになっている。
【特許文献１】特開２００２−３３９５８０号公報
【発明の開示】
【発明が解決しようとする課題】
【０００４】
ところが、特に都市部等では、戸建住宅等の建物を建てるための敷地が比較的狭小である場合が多い。このため、上記特許文献１のような離れのある住宅は、プライバシーの確保等を考慮して本棟（以下、母屋）と離れとの間に十分な距離をとる必要があるので、都市部における比較的狭小な敷地内に納めることは困難であった。
【０００５】
本発明の課題は、都市部等の狭小敷地であっても、母屋と離れのような独立性の高い居住部を形成することができ、快適な居住環境を形成することが可能な建物を提供することを目的とする。
【課題を解決するための手段】
【０００６】
請求項１に記載の発明は、建物１であり、例えば図１〜図３に示すように、建物本体２内に、この建物本体２の水平方向に沿って延在し、かつ延在方向端部が屋外側に開口する路地部３が形成されており、
前記建物本体２は、前記路地部３を介して隣り合うように配置された第１居住部４および第２居住部５を備えており、これら第１居住部４および第２居住部５は、前記路地部３に面する出入口４ａ，５ａをそれぞれ備えるとともに、互いに独立して形成されていることを特徴とする。
【０００７】
請求項１に記載の発明によれば、前記建物本体２は、前記路地部３を介して隣り合うように配置された第１居住部４および第２居住部５を備えており、これら第１居住部４および第２居住部５は、前記路地部３に面する出入口４ａ，５ａをそれぞれ備えるとともに、互いに独立して形成されているので、これら第１居住部４および第２居住部５を、前記路地部３によって隔てられた状態で同じ敷地内に形成することができる。これによって、都市部等の狭小敷地であっても、母屋と離れのような独立性の高い居住部を形成することができるので、各居住部におけるプライバシーの確保等を考慮した快適な居住環境を形成することが可能となる。
【０００８】
また、建物本体２内に、この建物本体２の水平方向に沿って延在し、かつ延在方向端部が屋外側に開口する路地部３が形成されていることから、この路地部３の開口から取り入れた外部の空気を、前記出入口４ａ，５ａを通じて第１居住部４および第２居住部５へと確実に吹き込ませることができるので、建物本体２内の換気を容易かつ確実に行うことができる。
【０００９】
請求項２に記載の発明は、例えば図１〜図３に示すように、請求項１に記載の建物１において、
前記路地部３には、前記建物本体２に設けられ、上下方向に沿って吹き抜ける風洞部６が接続され、この風洞部６の上端部は屋外に連通しており、
前記建物本体２内には、これら路地部３および風洞部６に沿って複数の部屋が配置されていることを特徴とする。
【００１０】
請求項２に記載の発明によれば、前記路地部３には、前記建物本体２に設けられ、上下方向に沿って吹き抜ける風洞部６が接続され、この風洞部６の上端部は屋外に連通しているので、横方向や斜め方向に吹く風を前記路地部３内に取り入れ、この取り入れた外部の空気を前記風洞部６内に確実に吹き込ませることができる。
そして、前記建物本体２内には、これら路地部３および風洞部６に沿って複数の部屋が配置されているので、例えば、これら複数の部屋に前記路地部３および風洞部６に面する窓等の開口部を設けることによって、前記路地部３および風洞部６に取り入れた外部の空気を、これら複数の部屋内に確実に吹き込ませることが可能となり、これら複数の部屋の換気を促進することができる。
【００１１】
また、暖かい空気がより高い所へと上昇していく性質を利用することで前記風洞部６内の暖かい空気を常に上昇させて順次排出できるので、風洞部６内に上昇気流を発生させることができる。したがって、風洞部６内では、暖かい空気を排出すると同時に、この暖かい空気よりも比較的冷たい下方からの空気を上昇気流に乗じて上昇させることができるようになるので、夏場において比較的冷たい空気を建物本体２内に吹き込ませることができる。
【００１２】
請求項３に記載の発明は、例えば図２および図３に示すように、請求項２に記載の建物１において、
前記建物本体２は、前記路地部３および風洞部６に面する収納室７と、この収納室７から路地部３の延在方向に沿って張り出す張出部８とを備えており、
前記収納室７は、前記建物本体２の上階床２０ａと、この上階床２０ａの一部の上方に設けられたスキップ床２０ｂとの間に配置されるとともに、前記路地部３の天井面３ａと同じ高さに位置する天井面７ａを有しており、前記張出部８は、前記収納室７の床面７ｂと略同じ高さの床面８ｂを有していることを特徴とする。
【００１３】
請求項３に記載の発明によれば、前記張出部８の床面８ｂは、前記路地部３の天井面３ａよりも収納室７の天井高分低い位置に設けられることとなるので、この張出部８から路地部３内を見たときに視線を遮るものがなくなるため、路地部３を広く見渡すことができる。しかも、前記路地部３は、前記建物本体２の水平方向に沿って延在し、かつ延在方向端部が屋外側に開口しているので、前記張出部８からは、路地部３の外部や敷地に面した道路まで見渡せるようになっている。これによって、例えば路地部３で遊ぶ子どもの安全に配慮することができ、防犯にも効果的である。
【００１４】
請求項４に記載の発明は、例えば図２および図３に示すように、請求項３に記載の建物１において、
前記張出部８の床８ａには、この床８ａを上下方向に貫通する貫通孔８ｃが複数形成されていることを特徴とする。
【００１５】
請求項４に記載の発明によれば、前記張出部８の床８ａには、この床８ａを上下方向に貫通する貫通孔８ｃが複数形成されているので、前記路地部３および風洞部６を流通する外部の空気や、風洞部６の上端部からさし込む光を、前記複数の貫通孔８ｃ，８ｃ…を介して張出部８の上下方向に通過させることができる。これによって、前記路地部３および風洞部６間の空気の流通性を低下させることがなく、前記張出部８の直下にも採光できるので、路地部３における快適な居住環境を形成することができる。
【００１６】
請求項５に記載の発明は、例えば図１および図３に示すように、請求項１〜４のいずれか一項に記載の建物１において、
前記路地部３は、建物１が建築される地域の夏季の主風向に対応する方向に開口していることを特徴とする。
【００１７】
請求項５に記載の発明によれば、前記路地部３は、建物１が建築される地域の夏季の主風向に対応する方向に開口しているので、この路地部３内に風を効果的に取り入れることが可能となる。すなわち、風は地域の気候特性によって様々である。したがって、例えば主風向が南向きであった場合は、南風を前記路地部３内に確実に取り入れることができる。これによって、取り入れた南風を前記第１居住部４および第２居住部５へとより確実に吹き込ませることができるので、建物本体２内の換気を容易に行うことができ、より快適な居住環境を形成することができる。
これに対し、冬季の主風向が北向きであった場合は、北風が前記路地部３内に吹き込むことを極力防ぐことができる。
【発明の効果】
【００１８】
本発明によれば、建物本体は、この建物本体の水平方向に沿って延在し、かつ延在方向端部が屋外側に開口する路地部を介して隣り合うように配置された第１居住部および第２居住部を備えており、これら第１居住部および第２居住部は、前記路地部に面する出入口をそれぞれ備えるとともに、互いに独立して形成されているので、これら第１居住部および第２居住部を、路地部によって隔てられた状態で同じ敷地内に形成することができる。すなわち、都市部等の狭小敷地であっても、母屋と離れのような独立性の高い居住部を形成することができるので、各居住部におけるプライバシーの確保等を考慮した快適な居住環境を形成することが可能となる。
【発明を実施するための最良の形態】
【００１９】
以下、図面を参照して本発明の実施の形態について説明する。
【００２０】
本実施の形態の建物１は、図１〜図３に示すように、建物本体２内に、この建物本体２の水平方向に沿って延在し、かつ延在方向端部が屋外側に開口する路地部３が形成されており、前記建物本体２は、前記路地部３を介して隣り合うように配置された第１居住部４および第２居住部５を備えており、これら第１居住部４および第２居住部５は、前記路地部３に面する出入口４ａ，５ａをそれぞれ備えるとともに、互いに独立して形成されている。
【００２１】
ここで、本実施の形態の建物本体２は、図１〜図３に示すように、上下２階建てとなっており、この建物本体２の下階１０に前記路地部３が形成されている。また、この路地部３は、図１に示すように、建物本体２の中央部分において水平方向に沿って延在した状態となっている。
【００２２】
このように前記建物本体２内に、この建物本体２の水平方向に沿って延在し、かつ延在方向端部が屋外側に開口する路地部３が形成されていることから、この路地部３の開口から取り入れた外部の空気を、前記出入口４ａ，５ａを通じて第１居住部４および第２居住部５へと確実に吹き込ませることができるので、建物本体２内の換気を容易かつ確実に行うことができる。
【００２３】
そして、前記路地部３には、図２および図３に示すように、前記建物本体２に設けられ、上下方向に沿って吹き抜ける風洞部６が接続され、この風洞部６の上端部は屋外に連通した状態となっている。これにより、横方向や斜め方向に吹く風を前記路地部３内に取り入れ、この取り入れた外部の空気を前記風洞部６内に確実に吹き込ませることができるようになっている。
【００２４】
また、前記路地部３は、建物１が建築される地域の夏季の主風向に対応する方向に開口しており、この路地部３内に風を効果的に取り入れることが可能となっている。
すなわち、風は地域の気候特性によって様々である。したがって、例えば主風向が南向きであった場合は、南風を前記路地部３内に確実に取り入れることができる。これによって、取り入れた南風を前記第１居住部４および第２居住部５へとより確実に吹き込ませることができるので、建物本体２内の換気を容易に行うことができ、快適な居住環境を形成することができるようになっている。
なお、これに対し、冬季の主風向が北向きであった場合は、北風が前記路地部３内に吹き込むことを極力防ぐことができる。
【００２５】
一方、前記建物本体２内には、前記路地部３および風洞部６に沿って複数の部屋が配置されており、これら複数の部屋は、前記第１居住部４および第２居住部５をそれぞれ構成するものとなっている。なお、前記第１居住部４は、図１中において前記路地部３の右側で、前記第２居住部５は、図１中において前記路地部３の左側となっている。
【００２６】
前記第１居住部４は、本実施の形態において母屋となっており、図１に示すように、下階１０には和室４０、土間４１、階段室４２を備えている。前記和室４０は、前記土間４１および階段室４２との境界部分に戸４０ａ，４０ｂを設けることによって隔絶可能となっており、プライバシーを確保することができる。
前記土間４１は、前記路地部３および外部に面しており、第１居住部４における玄関の役割を担っている。また、前記階段室４２は、前記土間４１から一段上がった位置に設けられるとともに、前記路地部３に面しており、第１居住部４における玄関ホールの役割を担っている。さらに、この階段室４２には上階２０へと上がる階段４２ａが設けられている。
そして、これら土間４１および階段室４２と、前記路地部３との境界部分に、第１居住部４の出入口４ａが設けられている。
【００２７】
そして、第１居住部４の上階２０には、図２に示すように、前記階段４２ａを上がった部分にリビング・ダイニング・キッチンからなる共用居住空間４３、収納室７、張出部８、スキップ階段４４が設けられている。
前記共用居住空間４３は、前記下階１０の和室４０、土間４１、階段室４２の直上に位置しており、上下階１０，２０を行き来する際は、この共用居住空間４３を通過することになるので、居住者同士のコミュニケーションの機会を容易に得ることができるので好ましい。
【００２８】
前記収納室７は、図３に示すように、上階床２０ａと、この上階床２０ａの一部の上方に設けられたスキップ床２０ｂとの間に配置されており、０．９ｍ〜１．４ｍの所定の天井高に設定されている。このように前記収納室７の天井高を０．９ｍ〜１．４ｍに設定することによって、居住者が収納室７に入って、何とか作業ができる最低限の高さを確保でき、また、このように天井高を必要最低限に押さえることで、建物本体２の高さが高くなることによって隣接する建物に及ぼす日照現象等の影響を極力少なくすることができるようになっている。
【００２９】
なお、この収納室７は、前記路地部３の天井面３ａと同じ高さに位置する天井面７ａを有している。すなわち、これら収納室７および路地部３の天井面７ａ，３ａは、前記上階床２０ａの一部の上方に設けられたスキップ床２０ｂによって構成されている。
【００３０】
また、前記張出部８は、手摺り壁８ｄを有するバルコニーであり、前記路地部３の延在方向に沿って張り出し、前記収納室７の床面７ｂと略同じ高さの床面８ｂを有している。つまり、前記張出部８の床面８ｂは、前記路地部３の天井面３ａよりも収納室７の天井高分低い位置に設けられることとなる。
そして、このように前記張出部８の床面８ｂが、前記路地部３の天井面３ａよりも低い位置に設けられると、この張出部８から路地部３内を見たときに視線を遮るものがなくなるため、路地部３を広く見渡すことができる。しかも、前記路地部３は、前記建物本体２の水平方向に沿って延在し、かつ延在方向端部が屋外側に開口しているので、前記張出部８からは、路地部３の外部や敷地に面した道路Ｒまで見渡せるようになっている。これによって、例えば路地部３で遊ぶ子どもの安全に配慮することができるとともに、防犯にも効果的である。
【００３１】
なお、前記路地部３は、前記第１居住部４および第２居住部５における主要な生活動線となるため、前記張出部８に防犯カメラ・夜間侵入者センサー等を取り付けることで、より防犯に効果的となる。
【００３２】
一方、前記スキップ階段４４は、図２に示すように、前記上階床２０ａとスキップ床２０ｂとを行き来するためのものであり、このスキップ床２０ｂ上には、寝室や子ども部屋等に用いられる複数の部屋４５，４６と、風呂・トイレ・洗面所からなる水廻り室４７と、ルーフバルコニー４８と、ウォークインクローゼット４９とが設けられている。
【００３３】
前記ウォークインクローゼット４９は、図２に示すように、前記スキップ床２０ｂ上の部屋４５に隣接しており、このスキップ床２０ｂ上の部屋４５の壁と、前記上階床２０ａの共用居住空間４３の壁との間に架設された状態となっている。すなわち、このウォークインクローゼット４９の床（スキップ床２０ｂ）が、図３に示すように、前記路地部３の天井部分となっている。
【００３４】
なお、このウォークインクローゼット４９が前記路地部３の上方に位置することによって、この路地部３への太陽光の照射角度が季節によって変わるようになっている。すなわち、夏場は太陽の位置が高いので、前記ウォークインクローゼット４９の壁４９ａによって太陽光を極力遮ることができ、冬場は太陽の位置が低いので、前記ウォークインクローゼット４９の壁４９ａに遮られずに太陽光を極力取り込むことができる。これによって、路地部３における快適な居住環境を形成することができるようになっている。
【００３５】
続いて、前記第２居住部５は、本実施の形態において離れとなっており、図１に示すように、仕事場５０と、風呂・トイレ・洗面所からなる水廻り室５１と、ダイニング・キッチンからなる生活場５２と、寝室５３と、第２居住部５用の収納室５４とを備えている。
【００３６】
前記仕事場５０は、前記路地部３の最奥部に位置しており、この路地部３との境界部分に戸５０ａを設けることによって隔絶可能となっており、敷地に面する道路Ｒからの視線も蔽遮して、プライバシーを確保することができる。
前記生活場５２は、前記路地部３に面しており、第２居住部５の出入口５ａが設けられている。また、仕事場５０への通用口５２ａも前記路地部３に面して設けられている。
前記寝室５３は、建物本体２の下階床１０ａの一部の上方に設けられたスキップ床１０ｂ上に設けられており、目隠し壁５３ａが設けられることで視線を極力遮ることができるようになっている。
前記収納室５４は、前記スキップ床１０ｂと下階床１０ａとの間に設けられており、この収納室５４への出入口５４ａ，５４ｂは、図１および図２に示すように、生活場５２側と路地部３側とに設けられている。
【００３７】
なお、本実施の形態の第２居住部５は、前記仕事場５０を設けることで仕事に使用できるものとしたが、これに限られるものではなく、例えば２世帯住宅としたり、趣味に利用したり、店舗営業を行ったり等、様々に使用することが可能となる。
【００３８】
そして、以上のように、前記建物本体２内には、前記路地部３および風洞部６に沿って、前記第１居住部４および第２居住部５をそれぞれ構成する複数の部屋が配置されているので、例えば、これら複数の部屋に前記路地部３および風洞部６に面する窓等の開口部を設けることによって、前記路地部３および風洞部６に取り入れた外部の空気を、これら複数の部屋内に確実に吹き込ませることが可能となり、これら複数の部屋の換気を促進することができるようになっている。
【００３９】
また、暖かい空気がより高い所へと上昇していく性質を利用することで前記風洞部６内の暖かい空気を常に上昇させて順次排出できるので、風洞部６内に上昇気流を発生させることができる。したがって、風洞部６内では、暖かい空気を排出すると同時に、この暖かい空気よりも比較的冷たい下方からの空気を上昇気流に乗じて上昇させることができるようになるので、夏場において比較的冷たい空気を建物本体２内に吹き込ませることが可能となっている。
【００４０】
さらに、図２および図３に示すように、前記張出部８の床８ａに、この床を上下方向に貫通する貫通孔８ｃを複数形成することによって、前記路地部３および風洞部６を流通する外部の空気や、風洞部６の上端部からさし込む光を、前記複数の貫通孔８ｃ，８ｃ…を介して張出部８の上下方向に通過させることができる。
なお、このような貫通孔８ｃは、例えば、複数の矩形板材を所定の間隔をあけて配置することによって形成されており、板材同士の間に形成された隙間が貫通孔８ｃとなる。
これによって、前記路地部３および風洞部６間の空気の流通性を低下させることがなく、前記張出部８の直下にも採光できるので、路地部３における快適な居住環境を形成することができるようになっている。
【００４１】
また、前記第１居住部４および第２居住部５の出入口４ａ，５ａは、図１に示すように、前記路地部３に面した状態で設けられており、敷地に面する道路Ｒからは見えにくい状態となっているので、視線を遮ることが可能となり、プライバシーを確保できるようになっている。
【００４２】
なお、以上のような本実施の形態の建物１の間取りは、これに限られるものではなく、本発明の趣旨を逸脱しない範囲で適宜変更可能出ることは言うまでもない。
【００４３】
本実施の形態によれば、前記建物本体２は、前記路地部３を介して隣り合うように配置された第１居住部４および第２居住部５を備えており、これら第１居住部４および第２居住部５は、前記路地部３に面する出入口４ａ，５ａをそれぞれ備えるとともに、互いに独立して形成されているので、これら第１居住部４および第２居住部５を、前記路地部３によって隔てられた状態で同じ敷地内に形成することができる。これによって、都市部等の狭小敷地であっても、母屋と離れのような独立性の高い居住部を形成することができるので、各居住部におけるプライバシーの確保等を考慮した快適な居住環境を形成することが可能となる。
【図面の簡単な説明】
【００４４】
【図１】本発明に係る建物の下階部分の実施形態を示す平面図である
【図２】本発明に係る建物の上階部分の実施形態を示す平面図である。
【図３】本発明に係る建物の実施形態を示す側断面図である。
【符号の説明】
【００４５】
１  建物
２  建物本体
３  路地部
４  第１居住部
５  第２居住部
６  風洞部
７  収納室
８  張出部
【図１】
2008169660.tif 000003
【図２】
2008169660.tif 000004
【図３】
2008169660.tif 000005